(57)【特許請求の範囲】
【請求項１】
セルラネットワーク（ＣＬＮ）の１次ベースノード（ｐＢＳ）と少なくとも１つの２次ベースノード（ｓＢＳ）とによってリモート端末と並列通信するユーザ装置（ＵＥ）を動作させる方法であって、前記セルラネットワークが少なくとも２つの無線アクセスネットワーク（ＲＡＮ）を含み、前記１次ベースノード（ｐＢＳ）と前記２次ベースノード（ｓＢＳ）とは異なる無線アクセスネットワークに割り当てられており、前記１次ベースノード（ｐＢＳ）が、前記ユーザ装置（ＵＥ）が非接続モードでキャンプオンしているベースノードであり、前記２次ベースノード（ｓＢＳ）が、前記ユーザ装置（ＵＥ）又は前記セルラネットワークの少なくとも一方により、前記ユーザ装置（ＵＥ）にサービスを提供するのに適していると評価されたベースノード候補であり、
前記リモート端末との通信リンクを確立するために、
前記方法は、
ａ：前記ユーザ装置（ＵＥ）が、前記ユーザ装置（ＵＥ）の利用可能なケイパビリティ（ＵＲ）を示す第１ケイパビリティメッセージを前記１次ベースノード（ｐＢＳ）に送信する第１ステップと；
ｂ：前記１次ベースノード（ｐＢＳ）が、前記第１ケイパビリティメッセージに基づいて次のデータ伝送セッションのために確保されているリソースのうち、前記１次ベースノード（ｐＢＳ）によって使用されているとして示されたケイパビリティに関連する第１の表示を前記ユーザ装置（ＵＥ）に送信する第２ステップと；
ｃ：前記ユーザ装置（ＵＥ）が、現在までに前記１次ベースノード（ｐＢＳ）によってはまだ使用されていないケイパビリティに関連する第２ケイパビリティメッセージを前記２次ベースノード（ｓＢＳ）に送信する第３ステップと；
ｄ：前記２次ベースノード（ｓＢＳ）が、配分を決めたリソースのうち前記２次ベースノード（ｓＢＳ）によって使用されるケイパビリティに関連する第２の表示を前記ユーザ装置（ＵＥ）に送信する第４ステップと；
ｅ：前記ユーザ装置（ＵＥ）が、依然として使用されていないリソースを示すケイパビリティに関連する第３ケイパビリティメッセージを前記１次ベースノード（ｐＢＳ）に送信する第５ステップと；及び
ｆ：前記ユーザ装置（ＵＥ）が、前記１次ベースノード（ｐＢＳ）及び前記２次ベースノード（ｓＢＳ）間で、構成された前記ケイパビリティを使用して通信リンクを開始する第６ステップと；を含む方法。
【請求項２】
前記ケイパビリティが、前記１次ベースノード（ｐＢＳ）及び前記２次ベースノード（ｓＢＳ）の少なくとも一方のサポートされた周波数帯の組み合わせに関連するリソース配分に関連する、請求項１に記載の方法。
【請求項３】
ユーザ装置（ＵＥ）が、アクティブ接続中に前記１次ベースノード（ｐＢＳ）から配分変更要求を受信すると、
‐前記１次ベースノード（ｐＢＳ）に再配分確認メッセージを送信するステップと、
‐前記配分変更要求に応じて利用可能なケイパビリティの変化を決定するステップと、
‐残っているケイパビリティを示すケイパビリティメッセージを前記２次ベースノード（ｓＢＳ）に送信するステップと、
をさらに含む、請求項２に記載の方法。
【請求項４】
前記ケイパビリティメッセージを前記２次ベースノード（ｓＢＳ）に送信した後に、
‐リソース配分変更に関連する表示を前記２次ベースノード（ｓＢＳ）から受信し、
‐前記配分要求及び前記リソース配分変更表示に基づいてリソース配分を変更する
ステップをさらに含む、請求項３に記載の方法。
【請求項５】
前記方法が、
‐前記１次ベースノード（ｐＢＳ）の少なくとも無線状態を評価し、
‐前記無線状態の所定の閾値未満への低下の検出に応答して、前記１次ベースノード（ｐＢＳ）の前記２次ベースノード（ｓＢＳ）への割り当てを変更することを開始する
ステップを含む、請求項１乃至４のいずれか一項に記載の方法。
【請求項６】
‐前記２次ベースノード（ｓＢＳ）の少なくとも１つの無線リンク低下の検出に応答して、前記ユーザ装置（ＵＥ）における通信においてアクティブな前記２次ベースノード（ｓＢＳ）の無線リンク低下を示す受信警告メッセージを前記１次ベースノード（ｐＢＳ）に送信する
ステップをさらに含む、請求項１乃至５のいずれか一項に記載の方法。
【請求項７】
セルラネットワーク（ＣＬＮ）の１次ベースノード（ｐＢＳ）と少なくとも１つの２次ベースノード（ｓＢＳ）とによってリモート端末と並列通信するように構成されたユーザ装置（ＵＥ）であって、前記セルラネットワークが少なくとも２つの無線アクセスネットワーク（ＲＡＮ）を含み、前記１次ベースノードと前記２次ベースノードとは異なる無線アクセスネットワークに割り当てられており、前記１次ベースノードが、前記ユーザ装置が非接続モードでキャンプオンしているベースノードであり、前記２次ベースノード（ｓＢＳ）が、前記ユーザ装置（ＵＥ）又は前記セルラネットワークの少なくとも一方により、前記ユーザ装置（ＵＥ）にサービスを提供するのに適しているとして選択されたベースノード候補であり、
前記リモート端末との通信リンクを確立するために、
前記ユーザ装置（ＵＥ）が、
ａ：前記ユーザ装置の利用可能なケイパビリティ（ＵＲ）を示す第１ケイパビリティメッセージを前記１次ベースノード（ｐＢＳ）に送信し；
ｂ：前記第１ケイパビリティメッセージに基づいて、次のデータ伝送セッションのために確保されているリソースのうち前記１次ベースノード（ｐＢＳ）によって使用されているとして示されたケイパビリティに関連する第１の表示を前記１次ベースノード（ｐＢＳ）から受信し；
ｃ：現在までに前記１次ベースノード（ｐＢＳ）によってはまだ使用されていないケイパビリティに関連する第２ケイパビリティメッセージを前記２次ベースノード（ｓＢＳ）に送信し；
ｄ：配分を決めたリソースのうち前記２次ベースノード（ｓＢＳ）によって使用されるケイパビリティに関連する第２の表示を前記２次ベースノード（ｓＢＳ）から受信し；
ｅ：依然として使用されていないリソースを示すケイパビリティに関連する第３ケイパビリティメッセージを前記１次ベースノード（ｐＢＳ）に送信し；
ｆ：前記１次ベースノード（ｐＢＳ）及び前記２次ベースノード（ｓＢＳ）との間で、構成された前記ケイパビリティを使用して通信リンクを開始する
ように構成されたユーザ装置（ＵＥ）。
【請求項８】
前記ケイパビリティが、前記１次ベースノード（ｐＢＳ）及び前記２次ベースノード（ｓＢＳ）の少なくとも一方のサポートされた周波数帯の組み合わせに関連するリソース配分に関連し、
前記ユーザ装置（ＵＥ）が、アクティブ接続中に前記１次ベースノード（ｐＢＳ）から配分変更要求を受信したことに応答して、
‐前記１次ベースノード（ｐＢＳ）に再配分確認メッセージを送信し、
‐前記配分変更要求に応じて利用可能なケイパビリティの変化を決定し、
‐前記利用可能なケイパビリティ（ＵＲ）を示すケイパビリティメッセージを前記２次ベースノード（ｓＢＳ）に送信する
ように構成される、請求項７に記載のユーザ装置（ＵＥ）。
【請求項９】
‐リソース配分変更に関連する表示を前記２次ベースノード（ｓＢＳ）から受信し、
‐前記配分要求及び前記リソース配分変更表示に基づいてリソース配分を変更する
ようにさらに構成される、請求項８に記載のユーザ装置（ＵＥ）。
【請求項１０】
前記ユーザ装置（ＵＥ）が、
‐前記１次ベースノード（ｐＢＳ）の少なくとも無線状態を評価し、
‐前記無線状態の所定の閾値未満への低下の検出に応答して、前記１次ベースノード（ｐＢＳ）の前記２次ベースノード（ｓＢＳ）への割り当てを変更することを開始する
ようにさらに構成される、請求項７乃至９のいずれか一項に記載のユーザ装置（ＵＥ）。
【請求項１１】
少なくとも２つの無線アクセスネットワーク（ＲＡＮ）と、異なる無線アクセスネットワークに割り当てられている少なくとも２つのベースノードとを含むセルラネットワーク（ＣＬＮ）において、少なくとも１つのユーザ装置（ＵＥ）を操作する方法であって、前記少なくとも２つのベースノードの一方が１次ベースノード（ｐＢＳ）であり、前記少なくとも２つのベースノードの他方が２次ベースノード（ｓＢＳ）であり、前記１次ベースノード（ｐＢＳ）が、前記ユーザ装置（ＵＥ）が非接続モードでキャンプオンしているベースノードであり、前記２次ベースノード（ｓＢＳ）が、前記ユーザ装置（ＵＥ）又は前記セルラネットワークの少なくとも一方により、前記ユーザ装置（ＵＥ）にサービスを提供するのに適しているとして選択されたベースノード候補であり、
前記方法が、前記１次ベースノード（ｐＢＳ）が、
‐前記ユーザ装置（ＵＥ）の利用可能なケイパビリティ（ＵＲ）を含むケイパビリティメッセージを受信するステップと、
‐前記利用可能なケイパビリティのうち使用されているケイパビリティを決定するステップと、
‐前記決定した使用されているケイパビリティを示すメッセージを前記ユーザ装置（ＵＥ）に送信するステップと、
‐依然として使用されていないケイパビリティを含む第３のケイパビリティメッセージを受信するステップと、
‐構成されたケイパビリティによって確立された通信リンクにおいて前記ユーザ装置（ＵＥ）にサービスを提供するステップと、
を含み、
前記１次ベースノード（ｐＢＳ）及び少なくとも１つの２次ベースノード（ｓＢＳ）によるユーザ装置（ＵＥ）とリモート端末の間の通信リンクがアクティブであり、
前記１次ベースノード（ｐＢＳ）及び前記２次ベースノード（ｓＢＳ）のうちの少なくとも一方が、
‐前記ユーザ装置（ＵＥ）に対する再配分変更の必要性を検知し、
‐前記通信リンクにおいてアクティブな他のベースノードの少なくとも１つに配分維持メッセージを送信し、
‐前記ユーザ装置（ＵＥ）に配分変更メッセージを送信し、
‐前記ユーザ装置（ＵＥ）から再配分確認メッセージを受信する
ステップを含む、方法。
【請求項１２】
前記方法が、前記２次ベースノード（ｓＢＳ）が、
‐前記１次ベースノード（ｐＢＳ）から配分維持メッセージを受信すると、配分変更を抑制するステップと、
‐利用可能なケイパビリティ（ＵＲ）を示すケイパビリティメッセージを前記ユーザ装置（ＵＥ）から受信するステップと、
‐維持段階が終了することを示す完了メッセージを前記１次ベースノード（ｐＢＳ）に送信するステップと、
を含む、請求項１１に記載の方法。
【請求項１３】
前記１次ベースノード（ｐＢＳ）が、
‐前記通信リンクにおいてアクティブな第１の２次ベースノード（ｓＢＳ）について、前記ユーザ装置（ＵＥ）における受信状態が所定の閾値未満であることを示す受信警告メッセージを前記ユーザ装置（ＵＥ）から受信し、
‐前記ユーザ装置（ＵＥ）にサービスを提供するのに適した第２の２次ベースノード（ｓＢＳ’）を決定し、
‐前記ユーザ装置（ＵＥ）の選択されたケイパビリティを解放するよう指示するケイパビリティ解放メッセージを前記第１の２次ベースノード（ｓＢＳ）に送信し、
‐解放されたケイパビリティを通知する応答メッセージを前記ユーザ装置（ＵＥ）に送信し、
‐前記第２の２次ベースノード（ｓＢＳ’）を前記ユーザ装置（ＵＥ）に推薦する
ステップを含む、請求項１１または１２に記載の方法。
【請求項１４】
少なくとも１つのユーザ装置（ＵＥ）を動作させるためのセルラネットワーク（ＣＬＮ）であって、前記セルラネットワークが少なくとも２つの無線アクセスネットワーク（ＲＡＮ）と、異なる無線アクセスネットワークに割り当てられている少なくとも２つのベースノードとを含み、前記少なくとも２つのベースノードの一方が１次ベースノード（ｐＢＳ）であり、前記少なくとも２つのベースノードの他方が２次ベースノード（ｓＢＳ）であり、前記１次ベースノード（ｐＢＳ）が、前記ユーザ装置（ＵＥ）が非接続モードでキャンプオンしているベースノードであり、前記２次ベースノード（ｓＢＳ）が、前記ユーザ装置（ＵＥ）又は前記セルラネットワークの少なくとも一方により、前記ユーザ装置（ＵＥ）にサービスを提供するのに適しているとして選択されたベースノード候補であり、
・前記１次ベースノード（ｐＢＳ）が、
‐前記ユーザ装置（ＵＥ）の利用可能なケイパビリティを示す第１ケイパビリティメッセージを前記ユーザ装置（ＵＥ）から受信し；
‐前記利用可能なケイパビリティのうち使用可能なケイパビリティを決定し；
‐前記決定した使用可能なケイパビリティに関連する第１の表示を前記ユーザ装置（ＵＥ）に送信し；
・前記２次ベースノード（ｓＢＳ）が、
‐現在までに前記１次ベースノード（ｐＢＳ）によってはまだ使用されていないケイパビリティに関連する第２ケイパビリティメッセージを前記ユーザ装置（ＵＥ）から受信し；
‐配分を決めたリソースのうち前記２次ベースノード（ｓＢＳ）によって使用されるケイパビリティに関連する第２の表示を前記ユーザ装置（ＵＥ）に送信し；
・前記１次ベースノード（ｐＢＳ）が、
‐依然として使用されていないリソースを示すケイパビリティに関連する第３ケイパビリティメッセージを前記ユーザ装置（ＵＥ）から受信し；
‐前記示されたケイパビリティによって確立された通信リンクにおいて前記ユーザ装置（ＵＥ）にサービスを提供する
ように構成されるセルラネットワーク（ＣＬＮ）。
【発明の詳細な説明】
【技術分野】
【０００１】
本発明はセルラネットワークにおいてユーザ装置を動作させる方法に関する。本発明はさらに上記方法を使用するユーザ装置に関する。
【０００２】
本発明はまたセルラネットワークにおいてユーザ装置を操作する方法に関する。本発明はさらに上記方法を使用するセルラネットワークに関する。
【背景技術】
【０００３】
無線通信の分野ではデータスループット要件が非常に高くなる傾向が顕著である。無線通信では、エアインターフェイス、すなわち利用可能な周波数範囲及び予測されるセルの大きさが制限要因である。
【０００４】
現在のアプローチはこの問題を２つのキャリア、特にセルラネットワークの２つのベースノード、すなわちｅＮｏｄｅＢが一緒にデータスループットを要求するユーザ装置にサービスを提供するキャリアアグリゲーションと呼ばれるアプローチによって解決を試みている。そのため、セルラネットワーク、すなわち関与するベースノードの無線アクセスネットワークが現在、２つのベースノード間におけるリソースの分配を調整している。
【０００５】
また、５Ｇ又は新無線（Ｎｅｗ  Ｒａｄｉｏ）と呼ばれる次の技術標準では、ＬＴＥ（４Ｇ）及び５Ｇが共存し、相互作用することになることが想定されている。結果として、両技術間の相互作用もキャリアアグリゲーションの点で有利となる。しかしながら、このような場合、前述のリソース調整は２つの無線アクセスネットワーク、特にそのネットワーク要素によって行われる必要がある。これには４Ｇ及び５Ｇネットワーク間のインターフェイス定義の莫大なオーバーヘッドが必要になる。また、ＷｉｍａｘやＷｉｆｉのような他のネットワークがさらに、同じ目的で使用されることになる可能性がある。実際これによって、今日不足している多くのネットワークインターフェイスを介したネットワーク通信が非常に増加すると考えられる。
【発明の概要】
【発明が解決しようとする課題】
【０００６】
したがって、本発明の目的は、キャリアアグリゲーションを使用することによって無線セルラネットワークで動作しているユーザ装置のリソース調整を改善する代替的な解決策を提案することである。
【０００７】
よって、さらに代替的かつ有利な解決策も当技術分野において望ましい。
【課題を解決するための手段】
【０００８】
このため、本発明の第１の態様によれば、請求項１に記載のユーザ装置を動作させる方法が提案される。さらに、本発明の第２の態様によれば、請求項７に記載のユーザ装置が提案される。本発明の第３の態様によれば、請求項１１に記載のセルラネットワークがユーザ装置を動作させる方法が提案される。さらに、本発明の第４の態様によれば、請求項１５に記載のセルラネットワークが提案される。
【０００９】
本発明の第１の態様によれば、セルラネットワークの１次ベースノード及び少なくとも１つの２次ベースノードによってリモート端末と並列通信するユーザ装置を動作させる方法であって、セルラネットワークが少なくとも２つの無線アクセスネットワークを含み、１次ベースノード及び２次ベースノードが異なる無線アクセスネットワークに割り当てられており、１次ベースノードが、ユーザ装置が非接続モードでキャンプオンしているベースノードであり、２次ベースノードが、ユーザ装置又はセルラネットワークの少なくとも一方により、ユーザ装置にサービスを提供するのに適していると評価されたベースノード候補であり、リモート端末との通信リンクを確立するために、方法が、ユーザ装置が、
‐ユーザ装置の利用可能なケイパビリティを含む第１のケイパビリティメッセージを１次ベースノードに送信し、
‐以下使用されているケイパビリティと称する、１次ベースノードにより使用されていると示されたケイパビリティに関連する第１の表示を１次ベースノードから受信し、
‐多くとも１次ベースノードにより使用されていると示されていないケイパビリティを含む第２のケイパビリティメッセージを２次ベースノードに送信し、
‐２次ベースノードにより使用されていると示されたケイパビリティに関連する第２の表示を２次ベースノードから受信し、
‐依然として使用されていないケイパビリティを含む第３のケイパビリティメッセージを１次ベースノードに送信し、
‐１次ベースノード及び２次ベースノードによって上記構成されたケイパビリティを使用して通信リンクを開始する
ステップを含む方法が提案される。
【００１０】
提案される方法は、無線通信用のセルラネットワークで動作するユーザ装置に関する。セルラネットワークは、好ましくは現在の４Ｇ標準を超える、特に、５Ｇすなわち新無線（ＮＲ）を含む技術標準をサポートしている。セルラネットワークは、それぞれが異なる技術標準をサポートする少なくとも２つの無線アクセスネットワーク（ＲＡＮ）を含む。
【００１１】
各無線アクセスネットワークは、好ましくは４Ｇ／５ＧにおいてｅＮｏｄｅＢと呼ばれる少なくとも１つのベースノードを含む。ベースノードは、ベースノードがカバーするセルエリアに位置するユーザ装置とのエアインターフェイスを表す。
【００１２】
各ベースノードは、ダウンリンク通信のために少なくとも１つの周波数帯で信号を送るように構成される。
【００１３】
ユーザ装置が、以下１次ベースノードという１つのベースノードに非接続モードでキャンプオンしている。１次ベースノードは、キャンプしているユーザ装置の操作及び確立されるときの通信リンクを主に制御する。
【００１４】
ユーザ装置は、少なくとも２つのベースノード、すなわち１次ベースノード、及び１次ベースノードとは別の無線アクセスネットワークの少なくとも１つの他のベースノードによって通信リンクを維持することができる。後者のベースノードを、以下、２次ベースノードと呼ぶ。通信リンクは、異なる無線アクセスネットワークで動作していても、キャリアアグリゲーション機構と同等に動作している。キャリアアグリゲーション並みの通信とは、通信リンクが、ユーザ装置と１次ベースノードとの間、及びユーザ装置と少なくとも１つの２次ベースノードとの間の直接接続を介して分配されたデータパケットを送信することを意味する。
【００１５】
本発明の方法は、第１のアプローチではリモート端末に対する通信リンクを確立することに関する。リモート端末は、インターネット上の、又はセルラネットワークに接続された他の経路上の別のユーザ装置、サーバ又はデバイスである。
【００１６】
ユーザ装置は、通信リンクを確立する前に１次ベースノードにキャンプオンする。また、ユーザ装置は、少なくとも１つのベースノード候補を２次ベースノードとして特定する。これは特に、そのベースノードが一緒に動作するのに十分に適しているかどうか、そして特に他の検出可能なベースノードより適しているかどうかを判断するために、信号、特にブロードキャストチャネルを測定することによって行われる。
【００１７】
代替的に、１次ベースノードが適合する２次ベースノードに関連する表示を送信することが提案される。しかしながら、特定されたベースノード候補が受信品質の点で適切でない場合はこれだけでは十分でない。
【００１８】
ユーザ装置から通信リンクを確立しようとしているとき、それはユーザ装置から１次ベースノードに第１のケイパビリティメッセージを送信することから始まる。このケイパビリティメッセージは、ユーザ装置の利用可能なケイパビリティに関連する情報を含む。
【００１９】
ケイパビリティは、好ましくは１次ベースノード及び２次ベースノードの少なくとも一方のサポートされた周波数帯の組み合わせに関連するリソース配分に関連する。
【００２０】
その結果、第１のケイパビリティメッセージは、報告されたケイパビリティの確保についての決定を１次ベースノードに行わせることを目的としている。したがって、これに対応して、１次ベースノードは使用されているケイパビリティに関連する第１の表示を含むメッセージをユーザ装置に送信する。
【００２１】
１次ベースノードからのこのようなメッセージは、第１のケイパビリティメッセージにより提供されたケイパビリティのどれが１次ベースノードによって配分されているかを示す可能性があるか、又はメッセージは提供されたケイパビリティのどれが１次ベースノードによって配分されていないかを示す。
【００２２】
１次ベースノードからメッセージを受信すると、ユーザ装置は使用されていない残りのケイパビリティを決定する。２次ベースノードとして特定されるベースノード候補への第２のケイパビリティメッセージによって、使用されていないケイパビリティが通知される。
【００２３】
第１及び第２のケイパビリティメッセージは、好ましくは各ベースノードに適用可能なケイパビリティのみを含む。ベースノードが特定の周波数帯の組み合わせをサポートするように構成されておらず、ユーザ装置が、例えばシステム情報ブロックの受信によりこのことを知っている場合は、アクセス先のベースノードが配分できないようなケイパビリティを第１又は第２のケイパビリティメッセージで提供しないことが有利である。
【００２４】
次に２次ベースノードは、示された使用されていないケイパビリティから、好ましくはサブセットを選ぶ。これは特に、ベースノードがサービスを提供しなければならない他のユーザ装置のための他のタスクに依存している。
【００２５】
その結果、２次ベースノードは、使用されているケイパビリティ、すなわちどのケイパビリティが使用されていないかを示すメッセージをユーザ装置に送信する。
【００２６】
最後のステップは、好ましくは２次ベースノードが複数ある場合は繰り返される。
【００２７】
ユーザ装置において第２の表示が受信された後、２次ベースノード及びユーザ装置は、ユーザ装置の使用されていないケイパビリティを認識する。使用されていないケイパビリティに関する関連情報を１次ベースノードにも提供するために、ユーザ装置は、依然として使用されていないケイパビリティを示す第３のケイパビリティメッセージを１次ベースノードに送信する。これにより関与する全ての当事者が同じ側にあり、同じ情報を有する。
【００２８】
そしてその結果、確保されているケイパビリティに従って、１次ベースノード及び２次ベースノードによって通信リンクを確立することができる。
【００２９】
このような通信リンクは、ベースノードごとにどんなリソース配分が行われるかを考慮して、関与するベースノードにパケット送信を分配することによってキャリアアグリゲーションを使用している。
【００３０】
提案される方法は、通信リンクを確立するために１次ベースノードと２次ベースノードの直接的な相互作用が不要であるために明らかに有利である。ユーザ装置は確立するステップを制御し、必要な情報を配信する。これはセルラネットワークを内部ネットワークトラフィックから解放する。また、異なる無線アクセスネットワークのベースノード間のインターフェイスは依然として管理可能である。
【００３１】
これは特に、ＷｉｆｉやＷｉｍａｘのような他の無線技術をサポートするベースノードが、５Ｇネットワークで想定されるようにセルラネットワークアーキテクチャに統合されることが想定される場合に有利である。複数の技術標準の組み合わせにわたるキャリアアグリゲーションのための完全なインターフェイスを定義することは不可能である。
【００３２】
別の好適な実施形態によれば、ユーザ装置が、アクティブ接続中に１次ベースノードから配分変更要求を受信すると、
‐配分変更要求に応じて利用可能なケイパビリティの変化を決定するステップと、
‐１次ベースノードに再配分確認メッセージを送信するステップと、
‐残りのケイパビリティを示すケイパビリティメッセージを２次ベースノードに送信するステップと、
をさらに含む方法が提案される。
【００３３】
この有利な実施形態は、通信リンクが前の実施形態に従って確立された後のケイパビリティの再配分に関連する。
【００３４】
１次ベースノードは、特に内部再構成、他のユーザ装置へのリソース割り当て、又は他の何かに起因する配分変更の必要性を検知したとき、ユーザ装置に配分変更の必要性を通知する。これはユーザ装置にとっての本方法の出発点である。配分変更メッセージは、好ましくは要求するベースノードに割り当てられる追加のケイパビリティに関連する。
【００３５】
代替的に、要求するベースノードは、通信リンクの保留中にこれ以上サービスを提供できないユーザ装置に解放されたケイパビリティを通知する。
【００３６】
したがって、ユーザ装置は、配分変更メッセージを受信したとき、要求された配分変更に応じることが可能かどうかを判断する。これは一般にケイパビリティの解放である場合は可能である。追加のケイパビリティの要求である場合は、主として要求がこれまでに使用されていないリソース数を上回っていないかどうかのサニティチェックが必要になる。
【００３７】
この判断ステップの結果は確認メッセージとして１次ベースノードに送信され、配分変更が実行される。
【００３８】
確認が肯定的である場合、ユーザ装置は配分変更メッセージに応答して、要求された使用されていないケイパビリティが依然として利用可能かどうかを判断する。使用されていないケイパビリティはこれによって効果的に変更される。特にその数が減少する。
【００３９】
次に２次ベースノードは、別のケイパビリティメッセージで、使用されていないケイパビリティの変化についてユーザ装置により通知される。ここで２次ベースノードは、配分変更の実行を望む場合に、要求されたリソースをユーザ装置がどの程度提供できるかを推定する立場になる。
【００４０】
一般にこの実施形態は２次ベースノードにも適用可能である。つまり、配分変更の必要性が２次ベースノードにおいて検知される場合、同じ方法ステップが実行される。別の実施形態によれば、ケイパビリティメッセージを２次ベースノードに送信した後に、
‐リソース配分変更に関連する表示を２次ベースノードから受信し、
‐上記配分要求及び上記リソース配分変更表示に基づいてリソース配分を変更する
ことがさらに提案される。
【００４１】
この実施形態によれば、配分変更の必要性は、１次ベースノードから配分変更要求を受信した後にケイパビリティメッセージを２次ベースノードに送信することによって、ユーザ装置により誘発される。
【００４２】
その結果、ユーザ装置はさらに、残っているケイパビリティを示すケイパビリティメッセージを１次ベースノードに送信する。
【００４３】
その後、通信リンクに関与するユーザ装置及びベースノードの全てに、たった今更新された使用されていないユーザ装置のケイパビリティが通知される。
【００４４】
本発明の方法の別の有利な実施形態によれば、
−１次ベースノードの少なくとも無線状態を評価し、
‐無線状態の所定の閾値未満への低下の検出に応答して、１次ベースノードの２次ベースノードへの割り当てを変更することを開始する
ステップを含む方法がさらに提案される。
【００４５】
この実施形態は、１次ベースノードがユーザ装置にこれ以上適していない状況、つまり、無線状態が信頼性の高い通信がもはや不可能なほど悪化している状況に関する。
【００４６】
無線状態が所定の閾値未満の場合、ユーザ装置は、１次ベースノード及び２次ベースノードの割り当てを切り替えることを決定する。換言すれば、通信リンクに関与する２次ベースノードの１つが１次ベースノードになる。そしてこれまでの１次ベースノードが２次ベースノードになる。
【００４７】
これによって、ユーザ装置は、使用されているセルラネットワークのベースノードのカバレッジエリア内にある限り、割り当てられた１次ベースノードを有することが保証される。
【００４８】
これまでにケイパビリティの配分は変更されていない。無線状態がさらに悪化した状況に対処するために、
−２次ベースノードの少なくとも１つの無線リンク低下の検出に応答して、ユーザ装置における通信においてアクティブな２次ベースノードの無線リンク低下を示す受信警告メッセージを１次ベースノードに送信する
ステップを含む別の実施形態が提案される。
【００４９】
無線状態がさらに悪化して、２次ベースノードの１つに対する無線リンク低下が検知されると、ユーザ装置は２次ベースノードがこれ以上使用できないことを知る。１次ベースノードが基本的に通信リンクを制御しているときに、２次ベースノードに対する無線リンク低下が通知される必要がある。
【００５０】
したがって、ユーザ装置は、２次ベースノードに対する無線リンク低下を示すメッセージを１次ベースノードに送信する。好ましくは、ユーザ装置はこの情報と共に、低下した２次ベースノードに割り当てられていたケイパビリティに関する表示を送信する。これによって、ケイパビリティは、少なくとも適切な２次ベースノードが利用可能でない限り、１次ベースノードに割り当てられる。
【００５１】
代替的に、ユーザ装置は無線低下メッセージのみを送信し、適切な２次ベースノードが特定されるとすぐに、前の２次ベースノードからのものを含む、使用されていないリソースを含むケイパビリティメッセージを新たな２次ベースノードに送信する。ユーザ装置は、好ましくは単独で又は１次ベースノードの支援を受けて、別の２次ベースノードを選択し、その結果、上記ケイパビリティメッセージで、元々前の２次ベースノードに割り当てられていたものを含む使用されていないケイパビリティを新たな２次ベースノードに送信する。
【００５２】
この実施形態は、以前は１次ベースノードであった２次ベースノードの状況、及び通信リンクの開始から２次ベースノードとして機能していたベースノードの状況の両方に適用可能である。
【００５３】
本発明の第２の態様によれば、セルラネットワークの１次ベースノード及び少なくとも１つの２次ベースノードによってリモート端末と並列通信するように構成されたユーザ装置であって、セルラネットワークが少なくとも２つの無線アクセスネットワークを含み、１次ベースノード及び２次ベースノードが異なる無線アクセスネットワークに割り当てられており、１次ベースノードが、ユーザ装置が非接続モードでキャンプオンしているベースノードであり、２次ベースノードが、ユーザ装置又はセルラネットワークの少なくとも一方により、ユーザ装置にサービスを提供するのに適しているとして選択されたベースノード候補であり、通信リンクを確立するために、ユーザ装置が、
‐ユーザ装置の利用可能なケイパビリティを含む第１のケイパビリティメッセージを１次ベースノードに送信し、
‐使用されているケイパビリティの第１の表示を１次ベースノードから受信し、
‐１次ベースノードにより使用されていると示されていないケイパビリティのみを含む第２のケイパビリティメッセージを２次ベースノードに送信し、
‐使用されているケイパビリティの第２の表示を２次ベースノードから受信し、
‐依然として使用されていないケイパビリティを含む第３のケイパビリティメッセージを１次ベースノードに送信し、
‐１次ベースノード及び２次ベースノードによって上記構成されたケイパビリティを使用して通信リンクの確立を開始する
ように構成されたユーザ装置が提案される。
【００５４】
本発明のこの態様に係るユーザ装置は、好ましくは処理回路、揮発性メモリ、永久メモリ及びトランシーバ回路を備える。ユーザ装置は、好ましくはトランシーバ回路と、ベースノードとの無線通信に関連するタスクを処理するための別体のプロセッサとを含む通信ユニットを備える。別の処理回路では、好ましくはユーザ装置の永久メモリに格納されたコンピュータ基本ソフトが実行される。上記ユーザ装置は、特にマシン型通信（ＭＴＣ）デバイスである。
【００５５】
ユーザ装置は、処理回路、トランシーバ回路及び／又はメモリによって、リモート端末との通信リンクを確立するための接続セッションにおいて、１次ベースノード及び少なくとも１つの２次ベースノードと共に動作するように構成される。
【００５６】
本発明の第２の態様は、本発明の第１の態様の利点を共有する。
【００５７】
本発明の第３の態様によれば、少なくとも２つの無線アクセスネットワークと、異なる無線アクセスネットワークに割り当てられている少なくとも２つのベースノードとを含むセルラネットワークにおいて、少なくとも１つのユーザ装置を操作する方法であって、少なくとも２つのベースノードの一方が１次ベースノードであり、少なくとも２つのベースノードの他方が２次ベースノードであり、１次ベースノードが、上記ユーザ装置が非接続モードでキャンプオンしているベースノードであり、２次ベースノードが、ユーザ装置又はセルラネットワークの少なくとも一方により、ユーザ装置にサービスを提供するのに適しているとして選択されたベースノード候補であり、方法が、１次ベースノードが、
‐ユーザ装置の利用可能なケイパビリティを含むケイパビリティメッセージを受信するステップと、
‐利用可能なケイパビリティのうち使用されているケイパビリティを決定するステップと、
‐決定した使用されているケイパビリティを示すメッセージをユーザ装置に送信するステップと、
‐依然として使用されていないケイパビリティを含む第３のケイパビリティメッセージを受信するステップと、
‐示されたケイパビリティによって確立された通信リンクにおいてユーザ装置にサービスを提供するステップと、
を含む方法が提案される。
【００５８】
第３の態様に係る方法は、セルラネットワークのベースノードに関する。ベースノードは、セルラネットワークの少なくとも２つの無線アクセスネットワークの１つの一部である。ベースノードは、ダウンリンク又はアップリンク通信のために少なくとも１つの周波数帯で信号を送るように構成される。
【００５９】
ベースノードは、上記ベースノードにキャンプオンしているユーザ装置に関係し、リモート端末との通信リンクをキャリアアグリゲーションで処理するために、２次ベースノードと呼ばれる少なくとも１つの追加のベースノードを使用する１次ベースノードである。
【００６０】
１次ベースノードの観点からすれば、通信リンクを確立する方法は、ユーザ装置からケイパビリティメッセージを受信することを含む。ケイパビリティメッセージは、ユーザ装置の利用可能な使用されていないケイパビリティ、特にサポートされている周波数帯の組み合わせに関連するリソース配分に関連する情報を含む。
【００６１】
これによって１次ベースノードは、次の通信リンクにどのケイパビリティ、すなわちどれだけの数のケイパビリティを選ぶかの選択権を有する。使用されているケイパビリティ、つまり１次ベースノードに配分されるケイパビリティについて決定する場合、１次ベースノードは特に示された利用可能なケイパビリティと、さらに１次ベースノードのトラフィック、すなわちリソース状況とを考慮する。
【００６２】
１次ベースノードが想定される通信リンクにどの２次ベースノードが使用されるかを知っている場合、１次ベースノードは、さらに２次ベースノードの能力を考慮に入れることが好ましい。これは好ましくは重複するリソースに関連し、したがって、１次ベースノードは、他のものを有し、２次ベースノードが少なくともあまり能力がない場合、そのようなリソースを避けることが好ましい。
【００６３】
１次ベースノードは次に、決定された確保されているリソースを示すメッセージをユーザ装置に送信し、示されたリソースで継続すると想定する。
【００６４】
次に１次ベースノードは、本発明の第１の態様による第３のケイパビリティメッセージである別のケイパビリティメッセージを受信する。このケイパビリティメッセージは、その間に２次ベースノードがいくつかのケイパビリティを確保した後に残っている、依然として使用されていないリソースを示す。１次ベースノードは、通信セッション中の後の配分変更の場合のためにこの示された情報を記憶する。
【００６５】
そして１次ベースノードは、選ばれたケイパビリティによって通信リンクを確立するためにユーザ装置にサービスを提供する。
【００６６】
有利な実施形態によれば、１次ベースノード及び少なくとも１つの２次ベースノードによるユーザ装置とリモート端末の間の通信リンクがアクティブである方法であって、方法がさらに、１次ベースノード及び２次ベースノードのうちの少なくとも一方が、
‐ユーザ装置に対する再配分変更の必要性を検知し、
‐通信リンクにおいてアクティブな他のベースノードの少なくとも１つに配分維持メッセージを送信し、
‐ユーザ装置に配分変更メッセージを送信し、
‐ユーザ装置から再配分確認メッセージを受信する
ステップを含む方法が提案される。
【００６７】
この実施形態は、上記１次ベースノード及び少なくとも１つの２次ベースノードによる、ユーザ装置とリモート端末とのアクティブな通信リンクの状況に関する。この方法は、１次ベースノードがユーザ装置に対する配分変更の必要性を検知した場合にアクティブになる。このような配分変更には、ベースノード、すなわちネットワーク内部に関する理由を含む様々な理由が考えられる。
【００６８】
この必要性が検知される、特にユーザ装置の使用されているケイパビリティの増加が想定される場合、１次ベースノードは、ユーザ装置の使用されていないケイパビリティに関する記憶された情報を参照する。使用されていないケイパビリティが利用可能である場合は、１次ベースノードは進むことができる。
【００６９】
第１のステップとして、１次ベースノードは、配分維持メッセージをアクティブな通信リンクの少なくとも１つの他の２次ベースノードに送信する。
【００７０】
このような配分維持メッセージは、上記１次ベースノードが今まさにユーザ装置に配分変更を要求しようとしていることを関与する他の２次ベースノードに通知する。ベースノード間の伝達は、好ましくはベースノードを接続するインターフェイス、特にＸ２インターフェイス又は新たな技術標準における代替品を介して実行される。
【００７１】
これによって、２次ベースノードに通信リンクに関与する別のベースノードがこれから配分要求を要求することが通知される。したがって、通信リンクに関与する複数のベースノード間の衝突が回避される。
【００７２】
配分維持メッセージの後、１次ベースノードはユーザ装置に配分要求メッセージを送信し、好ましくは配分要求が確認された場合にその旨を示す再配分メッセージをユーザ装置から受信することが好ましい。
【００７３】
１次ベースノードが配分変更を行おうとする際、２次ベースノードが、
‐１次ベースノードから配分維持メッセージを受信すると、配分変更を抑制するステップと、
‐利用可能なケイパビリティを示すケイパビリティメッセージをユーザ装置から受信するステップと、
‐維持段階が終了することを示す完了メッセージを１次ベースノードに送信するステップと、
を含む方法が提案される。
【００７４】
この実施形態は、１次ベースノード主導の再配分の場合の２次ベースノードの一部に関する。
【００７５】
２次ベースノードは、一般的に１次ベースノードが前記のように配分変更をもたらしたい場合に、１次ベースノードから配分維持メッセージを受信する。
【００７６】
２次ベースノードは、そのような配分維持メッセージを受信すると、配分変更の開始を控える。この動作は、衝突する配分変更要求が通信リンクに関与する複数のベースノードによりユーザ装置に送信されないことを保証する。
【００７７】
この状態は、２次ベースノードが１次ベースノードの配分変更が無事に完了したことについての表示を受信するまでアクティブに維持される。これは特に、１次ベースノードに関連する配分変更が実行された後の使用されていないリソースを示すケイパビリティメッセージをユーザ装置から受信することによる場合である。これは、配分変更が終わったこと、及び配分変更後の使用されていないケイパビリティの数を２次ベースノードに伝える。したがって、これから２次ベースノード主導の配分変更が実行される可能性がある。
【００７８】
維持段階が終了したことを確認するために、２次ベースノードは維持完了メッセージを１次ベースノードに送信する。
【００７９】
好ましくは、２次ベースノードが配分変更を望む場合、維持完了コマンドはさらに１次ベースノードのための配分維持コマンドを含む。
【００８０】
その結果、この場合の２次ベースノードは、前記したような配分方法のステップを継続する。そうでない場合は、１次ベースノード主導の配分変更が完了し、他に予定された配分変更はなくなる。
【００８１】
図から分かるように、通信リンクに関与するベースノード間のメッセージの数が依然として著しく少ないため、通信リンクの確立だけでなく配分の変更も取引の安全を維持しつつ、つまり衝突を回避することによって実行することができる。
【００８２】
１次ベースノード及び２次ベースノードが配分維持メッセージを互いに同時に送信した場合、１次ベースノードを優先することによってこの問題を解決することが提案される。その場合、１次ベースノードは、例えば別の配分維持メッセージを２次ベースノードに送信することによって、維持拒否メッセージを２次ベースノードに一緒に送信する。
【００８３】
別の好適な実施形態では、１次ベースノードが、
‐通信リンクにおいてアクティブな第１の２次ベースノードについて、ユーザ装置における受信状態が所定の閾値未満であることを示す受信警告メッセージをユーザ装置から受信し、
‐ユーザ装置にサービスを提供するのに適した第２の２次ベースノードを決定し、
‐ユーザ装置の選択されたケイパビリティを解放するよう指示するケイパビリティ解放メッセージを第１の２次ベースノードに送信し、
‐解放されたケイパビリティについて通知する応答メッセージをユーザ装置に送信し、
‐第２の２次ベースノードをユーザ装置に推薦する
ステップを含む方法が提案される。
【００８４】
この方法は、ユーザ装置がアクティブな通信リンク中に第１の２次ベースノードのセルエリアから離れている状況に関する。この場合、１次ベースノードは、第１の２次ベースノードに対して接続を持続できないことを示す警告メッセージをユーザ装置から受信する。
【００８５】
つまりユーザ装置は、第１の２次ベースノードとの連携を中断することを望み、別の２次ベースノードと継続する。第１の２次ベースノードに割り当てられたリソースが依然としてあるとき、ユーザ装置は１次ベースノードの支援を必要とする。
【００８６】
したがって、１次ベースノードは警告メッセージを受信すると、ケイパビリティ解放メッセージを第１の２次ベースノードに送信する。これによって第１の２次ベースノードは、ユーザ装置との接続損失について通知される結果、配分リソースを解放する。好ましくは、第１の２次ベースノードは、リソースの１次ベースノードへの解放を確認する。
【００８７】
この状況では、接続損失が相互作用の双方向に適用されると推定されるため、ユーザ装置はこれ以上２次ベースノードと相互作用することができない。したがって、１次ベースノードがこの役割を果たすことが有利である。
【００８８】
ユーザ装置はこの事実について１次ベースノードからの別のメッセージによって通知される。好ましくは、１次ベースノードはまた、別の２次ベースノードをユーザ装置に推薦する。このような推薦は特に、セルラネットワーク、すなわちコアネットワーク又はモビリティ管理エンティティ（ＭＭＥ）によって行われる。これはセルラネットワークでは関連情報が典型的な例において利用可能であるため有利である。
【００８９】
ユーザ装置は次に、第１の２次ベースノードに以前に割り当てられていたものを含む使用されていないケイパビリティを含むケイパビリティメッセージを他の２次ベースノードに送信する。他の２次ベースノードは、これに応答してユーザ装置に確保されているケイパビリティを示すことによって変更を確認する。
【００９０】
２次ベースノードの変更が実行された後、第１の２次ベースノードから第２の２次ベースノードへのパケット転送が、キャリアアグリゲーションから知られている方法に従って実行される。
【００９１】
この実施形態は、２次ベースノードの無線接続損失にのみ適用可能であり、その結果、１次ベースノードのみに解放コマンドを２次ベースノードに送信する権限がある。１次ベースノードの無線状態が所定の閾値未満である場合、１次及び２次ベースノードの割り当ての切り替えを主導するのは上記のようにユーザ装置である。そしてユーザ装置は新たな構成を進めて前記の実施形態に係る新たな２次ベースノードを見つける。
【００９２】
本発明の第４の態様によれば、少なくとも１つのユーザ装置を動作させるためのセルラネットワークであって、セルラネットワークが少なくとも２つの無線アクセスネットワークと、異なる無線アクセスネットワークに割り当てられている少なくとも２つのベースノードとを含み、少なくとも２つのベースノードの一方が１次ベースノードであり、少なくとも２つのベースノードの他方が２次ベースノードであり、１次ベースノードが、上記ユーザ装置が非接続モードでキャンプオンしているベースノードであり、２次ベースノードが、ユーザ装置又はセルラネットワークの少なくとも一方により、ユーザ装置にサービスを提供するのに適しているとして選択されたベースノード候補であり、１次ベースノードが、
‐ユーザ装置の利用可能なケイパビリティを含むケイパビリティメッセージを受信し、
‐利用可能なケイパビリティのうち使用可能なケイパビリティを決定し、
‐決定した使用可能なケイパビリティを示すメッセージをユーザ装置に送信し、
‐依然として使用されていないケイパビリティを含む第３のケイパビリティメッセージを受信し、
‐上記使用されていないケイパビリティのうち追加で使用可能なケイパビリティを示すメッセージをユーザ装置に送信し、
‐示されたケイパビリティによって確立された通信リンクにおいてユーザ装置にサービスを提供する
ように構成されるセルラネットワークが提案される。
【００９３】
セルラネットワークは、好ましくは４Ｇ／ＬＴＥ以上の技術標準をサポートしている。ベースノードは好ましくはｅＮｏｄｅＢである。セルラネットワークは、それぞれがセルエリアにサービスを提供する、したがって、セルラネットワークのカバレッジエリアをカバーする複数のベースノードを含む。ベースノードは、好ましくは処理回路、揮発性メモリ、永久メモリ、トランシーバ回路及びアンテナを備える。永久メモリは、処理回路で実行される、ベースノードを制御するためのコンピュータプログラムを保持する。ベースノードはまた、特に有線でセルラネットワークの他の要素に、特にＭＭＥのような無線アクセスネットワークの要素に接続される。
【００９４】
本発明の第４の態様は第３の態様の利点を共有する。
【００９５】
このように、本発明は有利には示された課題を解決し、ネットワーク要素、特に関与する異なる技術標準のベースノードの管理努力をさらに軽減することによってＲＡＮ間（ｉｎｔｅｒ−ＲＡＮ）キャリアアグリゲーションの解決策を提案する。これは管理、特に仕様書要件を減らし、少ないベースノード間コマンドセットに従うことによって簡素化する。
【図面の簡単な説明】
【００９６】
以下の説明及び添付図面は幾つかの例示的な態様を詳細に示しているが、実施形態の原理を使用することができる種々の方法のうちのほんの一部を示しているにすぎない。本発明の特徴及び利点は、限定的ではなく例示的な例として与えられる有利な実施形態の以下の説明及び添付図面を読む時に現れるだろう。
【００９７】
【図１】本発明がある実施形態として適用される装置のアーキテクチャを示す図。
【図２】本発明の方法の例示的な実施形態の第１のシーケンス図。
【図３】本発明の方法の例示的な実施形態の第２のシーケンス図。
【図４】本発明の方法の例示的な実施形態に係るセルラネットワークで動作しているユーザ装置の状況を示す図。
【発明を実施するための形態】
【００９８】
図１は、本発明の装置のある実施形態を模式的に示している。ユーザ装置ＵＥは、少なくとも１つのベースノードＢＳによってセルラネットワークＣＬＮで動作するように構成される。
【００９９】
この実施形態のユーザ装置ＵＥは、ＣＰＵ又は他のタイプのプロセッサのようなプロセッサ回路ＰＣを備える。プロセッサは、ユーザ装置のメモリＭに格納されているコンピュータプログラムを実行するように構成される。プロセッサは少なくともトランシーバ回路ＴＣを制御することに特化している。
【０１００】
トランシーバ回路は、セルラネットワークの少なくとも１つのベースノードと無線通信するための受信器回路と送信器回路の両方を備える。そのため、トランシーバ回路はまたアンテナＡＮを使用する。代替的な実施形態では、受信器回路及び送信器回路はユーザ装置ＵＥの別体のコンポーネントである。
【０１０１】
例示的なセルラネットワークＣＬＮは、好ましくは４Ｇ／ＬＴＥ、５Ｇすなわち新無線（ＮＲ）を含む複数の技術標準をサポートする。
【０１０２】
セルラネットワークＣＬＮは少なくとも、それぞれがカバレッジ領域のセルエリアをカバーする複数のベースノードを含む。ベースノードは、ベースノード及びコアネットワークＣＲＮ間のアクセスを管理するための制御ノードである少なくとも１つのセルラネットワーク要素に接続される。
【０１０３】
ベースノードはそれぞれ各１つの技術標準のサポートに特化しており、技術標準ＬＴＥ以降のベースノードは一般にｅＮｏｄｅＢと呼ばれている。
【０１０４】
ベースノードは、例示的な実施形態では移動管理エンティティＭＭＥである、ベースノード及びコアネットワークＣＲＮ間のアクセスを管理するための制御ノードである少なくとも１つのセルラネットワーク要素に接続される。一般に、異なる無線アクセスネットワークＲＡＮ１、ＲＡＮ２のベースノードは、異なる移動管理エンティティＭＭＥ１、ＭＭＥ２に接続される。
【０１０５】
一般にユーザ装置ＵＥは１つのベースノードにキャンプオンしており、このベースノードを１次ベースノードｐＢＳと呼ぶ。キャンプ関係は実線の稲妻で示される。ユーザ装置は、要求されたネットワークサービスを提供するベースノードに最高の信号接続でキャンプオンしていることが好ましく、例えば高データスループットデバイス（ｈＤＴＤ）には、より高度な技術標準のベースノードが選択されることが好ましい。
【０１０６】
このような高データスループットデバイスはさらに、データ伝送セッションに複数のベースノードを使用するように構成される。ＬＴＥでは、このような方法をキャリアアグリゲーションと呼ぶ。しかしながら、ＬＴＥではベースノードは同じ無線アクセスネットワークＲＡＮで動作し、さらに大抵の場合同じＭＭＥで動作している。したがって、キャリアアグリゲーションに基づくデータ伝送セッションの調整は無線アクセスネットワークによって容易に実行される。
【０１０７】
しかしながら、図示されたシナリオでは、第１の無線アクセスネットワークＲＡＮ１の１次ベースノードと、別の無線アクセスネットワークＲＡＮ２の別のベースノード（以下２次ベースノードｓＢＳ）とを使用することが想定されるデータ伝送セッションは異なる構成とする必要がある。２次ベースノードとの関係は破線の稲妻で示される。
【０１０８】
連携を構成するために、１次ベースノードｐＢＳ及び２次ベースノードｓＢＳは、例示的な本実施形態において移動管理エンティティＭＭＥ１、ＭＭＥ２を接続しているインターフェイスＸ−ＩＦを介して互いに通信する。代替的には、コアネットワークＣＲＮの各エンティティが調整を担う。代替的には、ベースノード間の直接インターフェイス、この場合には、好ましくは異なる技術標準のベースノードを接続するＸ２などのインターフェイスが存在してもよい。
【０１０９】
しかし、インターフェイスＸ−ＩＦは、一方でセルラネットワーク内のシグナリングオーバーヘッドに起因して、他方でインターフェイス仕様努力を軽減するために、本発明の方法が複数の相互作用する無線アクセスネットワークに適用可能であることに特化するように非常に薄いことが想定される。
【０１１０】
Ｘ２又はＸ−ＩＦはまた、物理インターフェイスそのものが各コアネットワーク要素を介して既存のインターフェイスによって実現される論理インターフェイスに過ぎない可能性があることに留意することは重要である。
【０１１１】
また、移動管理エンティティＭＭＥ１、ＭＭＥ２は、好ましくはそれぞれセルラネットワークＣＬＮのコアネットワークＣＲＮとコアインターフェイスＣ−ＩＦを介して通信している。これは少なくともベースノードが同じネットワークに属している限り当てはまる。ベースノードは、好ましくはＳ１インターフェイスＳ−ＩＦによってＭＭＥに接続される。
【０１１２】
別のシナリオでは、ベースノードは、例えば１つのベースノードがＷｉｆｉやＷｉｍａｘなどのローカルエリアネットワークに属している場合、ネットワークゲートウェイを介してセルラネットワークと通信することができる。本発明の方法は、既知のセルラネットワークに限定されない。
【０１１３】
１次ベースノード及び少なくとも１つの２次ベースノードとのデータ伝送セッションを確立するために、図２に示すステップが別の例示的な実施形態に従って実行される。
【０１１４】
このシーケンス図は、非接続モード、好ましくはアイドルモードで１次ベースノードにキャンプオンしているユーザ装置から始まる。ユーザ装置は、アップリンクデータ伝送、ダウンリンクデータ伝送、又は両者の組み合わせが想定されるデータ伝送セッションを確立することが想定される。好ましくは、ユーザ装置はデータ伝送がキャリアアグリゲーションによって、つまり２つのベースノードを介して最もよく処理されていることを認識している。以下の例示的なシーケンスフローは、１次ベースノード及び１つの２次ベースノードがデータ伝送セッションに関与すると仮定する。複数の２次ベースノードとのデータ伝送セッションもまた本発明に含まれる。
【０１１５】
ユーザ装置ＵＥは、データ伝送を確立する前のある時点に、ケイパビリティメッセージＭ２．１を１次ベースノードに送信する。ケイパビリティメッセージＭ２．１は、特に考えられるリソース配分及び／又はサポートされる周波数帯の組み合わせに関連するどのケイパビリティをユーザ装置が提供するかに関する情報を含む。本発明は、ソフトチャネルビット及び他のリソースを共有する意思決定にも適用される。例示している本実施形態では、ケイパビリティはサポートされる周波数帯の組み合わせを含むと仮定されている。
【０１１６】
１次ベースノードは、受信したケイパビリティメッセージに基づいて、どのリソースを配分可能であるかと、輻輳問題に起因して１次ベースノードがユーザ装置に十分なサービスを提供できないかどうかを判断する。
【０１１７】
その結果、１次ベースノードは、使用される、すなわち次のデータ伝送セッションのために確保されているリソースについての表示をメッセージＭ２．２によってユーザ装置に送信する。
【０１１８】
ユーザ装置は、受信したメッセージを評価した後、これまで使用されていないケイパビリティからできるだけ多く配分するために、２次ベースノードｓＢＳを探している。
【０１１９】
２次ベースノードを特定する方法には少なくとも２つの選択肢がある。好ましくは、１次ベースノードは近くにある２次ベースノードのお薦めをリソース表示メッセージＭ２．２で送信する。代替的に、ユーザ装置は想定されるデータ伝送セッションに使用するのにどの２次ベースノードが最適であるかを独自の適合性測定によって見い出す。
【０１２０】
１次ベースノードｐＢＳは、ある２次ベースノードを推薦する場合、その２次ベースノードｓＢＳがどのリソースに対処可能であるかを知っている可能性がある。
【０１２１】
有利には、１次ベースノードはこの知見に基づいて、２次ベースノードの考えられるリソース配分に干渉しないように自身のためにリソースを選ぶことを決定する。特に、１次ベースノードと２次ベースノードの両者によってサポートされる重複するリソースの場合、１次ベースノードは、どちら側でも利用できる場合、重複していないリソースを優先し得る。
【０１２２】
１次ベースノードからメッセージを受信した後、ユーザ装置は、ユーザ装置のこれまでに依然として使用されていないケイパビリティに関する表示を含むメッセージＭ２．３を選択された２次ベースノードに送信する。これによって、２次ベースノードは、どのケイパビリティ、すなわちリソースを提供できるかを特定する立場になる。
【０１２３】
２次ベースノードがどのリソースを配分するかを決定することによって、使用されているリソースがメッセージＭ２．４でユーザ装置に送信される。
【０１２４】
ユーザ装置はすでに、次のデータ伝送セッションにどのケイパビリティが使用され、どのケイパビリティが使用されないかについての情報を有している。この情報はまた２次ベースノードによって得られてもよい。
【０１２５】
１次ベースノードに使用されていないケイパビリティを認識させるために、ユーザ装置は、２次ベースノードからメッセージＭ２．４を受信した後、まだ使用されていないリソースを示す別のメッセージＭ２．５を１次ベースノードに送信する。１次ベースノードは、まだ知らされていない場合、メッセージＭ２．５で通信リンクに関与する１つ以上の２次ベースノードについて追加的に知らされることが望ましい。
【０１２６】
示されたステップの後、ユーザ装置ＵＥは１次ベースノードと共にデータ伝送セッションのための通信リンクを確立し、その後２次ベースノードｓＢＳも関与する。
【０１２７】
なぜベースノードがユーザ装置の使用されていないリソースを知っていることが重要かは、１次ベースノードにおける配分変更の場合の状況を示す図３に示されている。これは一般的に２次ベースノードでも起こり得る。
【０１２８】
影響を受けるベースノードは、そのような追加のケイパビリティがまだ利用可能な場合に、特に追加のリソースを各データ伝送セッションに割り当てる可能性に関する配分変更の期限がいつなのかを知っている必要がある。
【０１２９】
これを行うプロセスは、示された実施例の１次ベースノードにおける内部メッセージＭ３．１から始まる。ここで配分変更が可能であるか又は必要であることが検出される。この決定には様々な理由があり得る。
【０１３０】
理由の１つは、ベースノードのリソースが他のユーザ装置との他の接続から解放されることである。
【０１３１】
左側のリソース使用ボックスには、説明目的のために、２０個のリソースユニットが利用可能であることが使用可能リソース（ＵＲ）として示されている。ただし、このユニット数がどの種類のリソースを意味するかを必ずしも特定していない。
【０１３２】
１次ベースノードがユーザ装置にアクセスする前に、まず配分維持メッセージＭ３．２が少なくとも１つの２次ベースノードに送信される。このメッセージによって、２次ベースノードは、異なる通知があるまでユーザ装置への配分変更の要求を控えるよう指示される。これはワークフロー全体におけるベースノード間での最初のメッセージである。取引の安全のような方策の形で２つのベースノードからの要求の衝突を避けるために、この配分維持メッセージは、配分要求を送信する前に必須のメッセージである。２次ベースノードは、好ましくは配分維持メッセージの受信確認を行う。２次ベースノードは、この配分維持段階になると配分変更の可能性を抑制する。互いに同時に維持を要求する２つのベースノードの衝突の可能性はベースノード間で解決され、好ましくは１次ベースノードに優先権がある。
【０１３３】
１次ベースノードは、配分維持メッセージを無事に送信した後に配分要求Ｍ３．３をユーザ装置に送信する。配分要求は、好ましくはユーザ装置の配分されるリソースの増加に関連する。そのため１次ベースノードは、確立手順のときに取得したメッセージＭ２．５（図２参照）から分かっている使用されていないリソースの数を考慮に入れる。この場合１次ベースノードは、ユーザ装置に２０個の使用されていないリソースユニットがあることを認識しており、その結果、別の５個の確保されているリソースユニットＲＲを要求することができる。また代替的に、配分要求は配分されるリソースの減少に関連する。ただし、この例では、１次ベースノードは使用されるユーザ装置のリソースの増加を意図している。
【０１３４】
ユーザ装置ＵＥは配分要求をチェックし、図示されているように利用可能な場合、配分要求を少なくとも部分的に承認した再配分メッセージＭ３．４で要求している１次ベースノードに応答する。結果として、使用されていないリソースユニットの数が５だけ減少し、要求されたリソースユニットの完全セットがメッセージＭ３．４で承認されたことが示される。
【０１３５】
また、ユーザ装置は、使用されていないリソースを含むケイパビリティメッセージＭ３．５を少なくとも１つの２次ベースノードに送信する。これによって２次ベースノードは、ユーザ装置の使用されていないリソースの新たな数、この場合には１５個の使用されていないリソースユニットＵＲが通知される。同じメッセージによって、２次ベースノードは１次ベースノードの再配分が完了した旨の情報を得る。これは、配分維持段階がまだアクティブであるときに２次ベースノードに配分維持の終了を通知する。
【０１３６】
次に２次ベースノードは、配分維持段階の終了を１次ベースノードにも知らせるために維持完了メッセージＭ３．６を１次ベースノードに送信する。代替的に、１次ベースノードが再配分メッセージをユーザ装置から取得した後に維持完了メッセージを送信することが提案されるが、これによりベースノード間での追加のメッセージタイプが必要になる。
【０１３７】
この実施例では、２次ベースノードはケイパビリティメッセージＭ３．５を受信した後に配分変更を検討する。そして配分変更を決断する。これにはリソースの追加及びリソースの解放の両方が含まれる可能性がある。本ケースでは、２次ベースノードは３個のリソースユニットを解放することを決定する。
【０１３８】
いずれの場合でも、配分変更を示すために、１次ベースノードにおいて以前に実行されたのと同じワークフローが実行される必要がある。したがって、１次ベースノードへの配分維持メッセージＭ３．７から始まる。これによって１次ベースノードは、その一部の配分要求を控えるよう通知される。任意選択的に、配分維持メッセージＭ３．７は、セルラネットワークにおけるシグナリングリソースを節約するために維持完了メッセージＭ３．６と一緒に送信される。
【０１３９】
次に、ここでは配分されるリソースユニットの３個の減少を示す配分要求Ｍ３．８が２次ベースノードからユーザ装置ＵＥに送信される。
【０１４０】
ユーザ装置は以前と同じように新たな配分要求を処理する。すなわちユーザ装置は要求された配分をチェックして、肯定的な結果の場合に再配分メッセージＭ３．９を２次ベースノードに送信する。
【０１４１】
これによってさらに、使用されていないリソースユニットの数が更新（本ケースでは１８に増加）される。また、使用されていないリソースを含むケイパビリティメッセージＭ３．１０が１次ベースノードｐＢＳに送信される。
【０１４２】
１次ベースノードは次に維持完了メッセージＭ３．１１を２次ベースノードに送信する。
【０１４３】
ケイパビリティメッセージＭ３．１０の受信は、内部メッセージＭ３．１でチェックされる配分変更として再度処理され得る。しかし、このような変更は、安定的なリソース配分状態を維持するためにしばらくして行われる可能性がある。これは特に静止して動作するユーザ装置にとって望ましい。
【０１４４】
図４は、移動中のユーザ装置の場合の追加の例示的な状況を示している。これは特にエンターテイメントユニットなどが接続された自動車に関連してよい。
【０１４５】
図４には、第１の時点におけるユーザ装置ＵＥＴ１が示されている。ユーザ装置は、キャンプオン中の１次ベースノードｐＢＳのセルエリアＣＡｐＢＳに位置している。また、ユーザ装置は、２次ベースノードｓＢＳのセルエリアＣＡｓＢＳに位置している。
【０１４６】
１次ベースノードｐＢＳ及び２次ベースノードｓＢＳはセルラネットワークの異なる無線アクセスネットワークの一部である。これらはセルラネットワーク内部インターフェイスＸ−ＩＦを介して通信可能である。このようなＲＡＮ間（ｃｒｏｓｓ−ＲＡＮ）インターフェイス上のトラフィックを低減することは好ましい。
【０１４７】
また、１次ベースノードはコアインターフェイスＣ−ＩＦを介してコアネットワークＣＲＮに接続される。
【０１４８】
ユーザ装置は、１次ベースノードｐＢＳ及び２次ベースノードｓＢＳを使用するキャリアアグリゲーションによって接続リンクで動作している。
【０１４９】
通信リンクを確立した後、ユーザ装置は移動して、ユーザ装置がＵＥＴ２の位置にある状況が現れる。そしてユーザ装置は、別のベースノードｓＢＳ’のセルエリアＣＡｓＢＳ’に位置している。
【０１５０】
この別のベースノードもセルラネットワークインターフェイスＸ−ＩＦによって１次ベースノードにリンクされる。
【０１５１】
図から分かるように、ユーザ装置は、通信リンクに使用されていた２次ベースノードｓＢＳのセルエリアＣＡｓＢＳにもはや位置していない。ユーザ装置ＵＥは２次ベースノードｓＢＳからの信号を復号できないことを検知することができる。
【０１５２】
このような状況では、少なくとも以下のタスクを実行しなければならない。
−キャリアアグリゲーションで通信リンクを継続するために新たな２次ベースノードを特定すること。
−元の２次ベースノードｓＢＳの配分されたリソースを新たに特定された２次ベースノードに割り当てること。
【０１５３】
本発明の有利な実施形態によれば、これは好ましくは以下の方法によって解決される。
ユーザ装置は１次ベースノードｐＢＳに元の２次ベースノードとの接続を失ったことを知らせる。それから好ましくはコアネットワークＣＲＮと連携して、１次ベースノードは別のベースノードｓＢＳ’を新たな２次ベースノードとして特定する。
【０１５４】
次に１次ベースノードは、リソース解放メッセージを元の２次ベースノードｓＢＳにインターフェイスＸ−ＩＦを介して送信する。これによって、２次ベースノードｓＢＳはユーザ装置の全てのリソースを解放するよう指示される。これは異なるＲＡＮのベースノード間の第２のタイプのメッセージである。
【０１５５】
好ましくは、２次ベースノードはリソースが解放されたことを確認する。
【０１５６】
また、ユーザ装置は解放されたリソース及び新たな２次ベースノードｓＢＳ’について通知される。次に、メッセージＭ２．３（図２）に相当するケイパビリティメッセージによって、ユーザ装置は、元の２次ベースノードによって解放されたものを含む使用されていないケイパビリティに関する情報を求めてベースノードｓＢＳ’に接触することができる。これに応答して、ベースノードｓＢＳ’は確保されているケイパビリティの表示を送信し、ユーザ装置はこの情報を１次ベースノードに送信する。
【０１５７】
また、既に元の２次ベースノードに割り当てられたパケットのパケット転送を解決する必要がある。このため、別の２次ベースノードｓＢＳ’が元の２次ベースノードｓＢＳと同じＲＡＮの一部であるときは、通常のＲＡＴ内（ｉｎｔｒａ−ＲＡＴ）キャリアアグリゲーション機構から知られている手段を再利用することができる。
【０１５８】
これらのステップが実行された後に、ユーザ装置は１次ベースノード及び２次ベースノードと接続リンクし、ベースノードのそれぞれが割り当てられたリソースを有し、ユーザ装置の使用されていないリソースを知っている。
【０１５９】
１次ベースノードのセルエリアが残っている場合に、ユーザ装置ＵＥは１次ベースノードの能力を残っている２次ベースノードに割り当て、現在の１次ベースノードと連動して新たな２次ベースノードを決定する。
【０１６０】
以上の詳細な説明において、例示により、本発明が実施される特定の実施形態を示す添付図面が参照される。これらの実施形態は、当業者が本発明を実施することができるように十分詳細に記載される。異なっていたとしても、本発明の様々な実施形態は必ずしも互いに排他的ではないことは理解されるべきである。例えば、一実施形態と関連して本明細書に記載される特定の特徴、構造、又は特性は、本発明の範囲を逸脱することなく、別の実施形態において実現されてもよい。加えて、開示される各実施形態の範囲内の個別要素の位置又は配置は、本発明の範囲を逸脱することなく変更されてもよいことは理解されるべきである。したがって、以上の詳細な説明は、限定的な意味で受け取られるべきではなく、本発明の範囲は、請求項が権利を得ることができる全範囲の同等物とともに、適切に解釈された、添付の請求項によってのみ定義される。
【図１】
0006818150.tif 000002
【図２】
0006818150.tif 000003
【図３】
0006818150.tif 000004
【図４】
0006818150.tif 000005